(57)【要約】【課題】容器に対して簡単に装着できるとともに、開封前は容器の未使用を明確に把握できて不正行為の防止に役立ち、また、使用後の容器からの分離も容易で容器との分別処理を簡単に行え、しかも構造が簡単で安価に製造できる封緘式キャップを提案する。【解決手段】キャップ本体２の下端面から破断可能な連結手段を介して抜止め筒３を垂下し、この抜止め筒３内面の係合突条１０を容器体口頸部６外周の係止段部１１下面に係合させて連結手段を破断しないかぎりキャップ本体の抜け出しが出来ないように構成している。また、抜止め筒３には広がって容易な取り外しが可能となる切欠部１５を設けるとともに、この切欠部１５の開きを防止する封止板４を切り取り可能に設けた。【選択図】図１
2004231253.tif 000002
【特許請求の範囲】
【請求項１】
キャップ本体２の下端面から破断可能な連結手段を介して抜止め筒３を垂下し、容器体５の口頸部６に対するキャップ本体螺着時に、抜止め筒３内面に突周設した係合突条１０を口頸部６外面の係止段部１１下面に係合可能に形成した封緘式キャップに於いて、上記抜止め筒３の下端部より上記係合突条１０を縦断する切欠部１５を設けるとともに、該切欠部１５を跨ぐ位置の上記抜止め筒３下端部に薄肉部１６を介して上端部を連結した封止板４を垂設したことを特徴とする封緘式キャップ。
【請求項２】
上記キャップ本体２と抜止め筒３との間に、螺着回動方向で係合し、螺脱回動方向で非係合のラチェット機構を設けてなる請求項１記載の封緘式キャップ。
【請求項３】
上記封止板４が、上記抜止め筒３下端縁に上端縁を薄肉部１６を介して上方への弾性反転が可能に連結した円弧板状をなす請求項１記載の封緘式キャップ。
【発明の詳細な説明】
【０００１】
【発明の属する技術分野】
本発明は封緘式キャップに関する。
【０００２】
【従来の技術】
容器の口部に被着させて、容器中身の使用前には未開封であることが容易に判る所謂バージンシール機能を備えた封緘式キャップが知られている（例えば、特許文献１参照）。
【０００３】
上記キャップは、外周に複数のローレットを形成したキャップ本体の下方に、複数の封印用接続リブを介してバンド部を延設したものであり、バンド部の内周壁には下方に斜設された周設リブを設け、この周設リブから先端にガイド片が突設されたラチェットを周方向複数突設している。そして、口頸部外周に係止突条を周設した容器に対し、螺着時には各ラチェットが係止突条を乗り越えてその下面に当接係止され、各封印用接続リブを破断しないかぎりキャップ本体が螺脱出来ないように構成している。
【０００４】
また、近年廃棄物の有効利用等の目的で廃棄物の分別処理が推進されており、容器を形成するガラス等と合成樹脂製のキャップとを分離して廃棄することが行われている。上記した封緘式キャップの場合には、バンド部にスリット及び溝を形成し破断可能に構成して、使用後にこのバンド部を容器から分離可能に構成している。
【０００５】
【特許文献１】
特開平１０−３２４３５３号公報（第２−５頁，図１）
【０００６】
【発明が解決しようとする課題】
上記キャップは、容器に対して容易に装着することができ、また、不正に開封された場合には外観から不正好意が確認されるので容器内容物の品質保証が確保され、また、分別処理も容易にできる等の効果を得られるものではあるが、構造が複雑であり、各ラチェット片は上方へ傾斜上昇する如く形成しているため、成形時の型抜きの際に破損する虞があり、その結果歩留りが悪くなる傾向がある。
【０００７】
本発明は上記した点に鑑みてなされたもので、容器に対して簡単に装着できるとともに、使用後の容器からの分離も容易であり、しかも、構造が簡単で容易に製造できる封緘式キャップを提案するものである。
【０００８】
【課題を解決するための手段】
本請求項１発明の封緘式キャップは、上記課題を解決するため、キャップ本体２の下端面から破断可能な連結手段を介して抜止め筒３を垂下し、容器体５の口頸部６に対するキャップ本体螺着時に、抜止め筒３内面に突周設した係合突条１０を口頸部６外面の係止段部１１下面に係合可能に形成した封緘式キャップに於いて、上記抜止め筒３の下端部より上記係合突条１０を縦断する切欠部１５を設けるとともに、該切欠部１５を跨ぐ位置の上記抜止め筒３下端部に薄肉部１６を介して上端部を連結した封止板４を垂設したことを特徴とする封緘式キャップ。
【０００９】
また、請求項２発明の封緘式キャップは、上記キャップ本体２と抜止め筒３との間に、螺着回動方向で係合し、螺脱回動方向で非係合のラチェット機構を設けてなる請求項１記載の封緘式キャップとして構成した。
【００１０】
また、請求項３発明の封緘式キャップは、上記封止板４が、上記抜止め筒３下端縁に上端縁を薄肉部１６を介して上方への弾性反転が可能に連結した円弧板状をなす請求項１記載の封緘式キャップとして構成した。
【００１１】
【発明の実施の形態】
以下、本発明の実施例の形態を図面を参照して説明する。
【００１２】
図面に示す如く本発明の封緘式キャップ１は合成樹脂により一体に形成されたもので、キャップ本体２と、抜止め筒３と、封止板４を備えている。
【００１３】
キャップ本体２は、装着する容器体５の口頸部６外周に螺着可能に構成した下端開口の有頂筒状をなすもので、具体的一例として、図示例の如く、内周面に螺条７を周設した周壁８の上端より頂壁９を延設して構成している。
【００１４】
抜止め筒３は、キャップ本体２下端面から破断可能な連結手段を介して一体に垂下したもので、上記口頸部６に対するキャップ本体螺着時に、抜止め筒３内面に突周設した係合突条１０を口頸部６外面の係止段部１１下面に係合可能に形成している。図示例に於いて、上記連結手段として、キャップ本体２下端面と、抜止め筒３上端面との間を連結する細棒状の連結片１２を周方向間隔をあけて複数設けることにより構成している。
【００１５】
更に、キャップ本体２と抜止め筒３との間には、螺着回動方向で係合し、螺脱回動方向で非係合のラチェット機構を設けている。図示例では、抜止め筒３上面に螺着回動方向の端面が傾斜面をなし、螺脱回動方向の側端面が垂直状面をなす台形状の突起１３突設し、該突起１３と相似形状をなす凹部１４をキャップ本体下面対応位置に設けている。従って、キャップ本体２を口頸部６に螺着する際には、突起１３の垂直状面と凹部の垂直状面とが係合して抜止め筒３を螺着回動方向へ回動させ、連結手段の不都合な破断を阻止する如く構成している。
【００１６】
また、抜止め筒３には容器使用後口頸部より容易に取り除くことができる様に切欠部１５を設けている。この切欠部１５は抜止め筒３の下端部より上記係合突条１０を縦断する所定位置まで設けたもので、その上方部分の抜止め筒は連結している。この切欠部１５を設けることにより、廃棄の際にその部分が広がって係合突条１０が係止段部１１を容易に乗り越え簡単に抜止め筒３を取り外すことができる如く構成している。
【００１７】
封止板４は、開封前に上記切欠部１５が広がって不都合な抜止め筒３の抜け出しが無いように設けたものであり、抜止め筒３を口頸部６より分離する際に取り除いて抜止め筒３の容易な取り外しを行える如く設けたものであり、上記切欠部１５を跨ぐ位置の上記抜止め筒３下端部に薄肉部１６を介して上端部を連結している。図示例では、上記切欠部１５を跨ぐ抜止め筒３の外周下端縁に上端縁を破断可能な薄肉部１６を介して連結した円弧板状をなしている。この封止板４は、図４及び図５に示す如く、上方に強制的に折り曲げると両側の薄肉部１６が破断しつつ上方に弾性的に反転する如く構成しており、その結果、その状態で簡単に切り取ることができる如く構成している。
【００１８】
上記の如く構成した封緘式キャップ１を使用する場合に付いて説明する。まず口頸部６の上部外周に螺条１７を周設し、その下方所定位置に下面が係止段部１１となる突条を突設した容器体５を用意し、上記口頸部６を下端開口より挿通して、キャップ本体２を口頸部６に螺着させる。この際、抜止め筒３の係合突条１０は容器体口頸部６の螺条１７突出位置より外方にあるため螺条１７部分を容易に通過する。次いでなおも螺動下降させると係合突条１０が上記係止段部１１を形成する突条を乗り越えてその下面である係止段部１１に係合し螺着が終了する。この状態で運搬、保管、陳列等を行い、破断可能な連結手段を破断しないかぎりキャップ本体２を螺脱はできず、一見して未使用を認識できる。尚、螺着の際には上記ラチェット機構の作用で破断可能な連結手段に負担ががかからずに螺着することができる。
【００１９】
内容物を使用するために開封する場合には、単にキャップ本体２を螺脱方向へ回動するだけで良い。そうすることにより、抜止め筒３は係止段部によりそれ以上の上昇を阻止される一方、キャップ本体２のみが螺動上昇するため各連結片１２が切断して口頸部６上端を開口する。また、内容物を使い終わって全体を廃棄する場合には、封止板４を上方へ反転させた後薄肉部１６を破断して除去し、抜止め筒３を押し上げれば、容易に口頸部６より外れる。尚、この抜止め筒３は開封後すぐに除去廃棄することも当然可能である。
【００２０】
【発明の効果】
以上説明した如く、本発明の封緘式キャップは、既述構成としたことにより、容器に対して簡単に装着できるとともに、開封後の容器からの取り外しも簡単で、しかも、極めて簡単な構造であり、合成樹脂の一体成形も可能であるため、製造が容易である等の利点を有する。当然、外観から不正行為が確認される等の従来品の持つ特徴も兼ね備えるものである。
【００２１】
また、請求項２発明の封緘式キャップは、容器に対する螺着時に破断可能な連結手段に損傷を及ぼすことなく確実に装着することができる利点を備えている。
【００２２】
また、請求項３発明の封緘式キャップは、封止板の除去が極めて容易であり、その結果、抜止め筒をさらに容易に除去できる利点を備えている。
【図面の簡単な説明】
【図１】本発明の一実施例を示す半断面図である。
【図２】同実施例の正面図である。
【図３】同実施例の平面図である。
【図４】同実施例の封止板を除去する際の説明図である。
【図５】同実施例の封止板を除去する際の説明図である。
【符号の説明】
２…キャップ本体，３…抜止め筒，４…封止板，５…容器体，６…口頸部，
１０…係合突条，１１…係止段部，１５…切欠部，１６…薄肉部
【図１】
2004231253.tif 000003
【図２】
2004231253.tif 000004
【図３】
2004231253.tif 000005
【図４】
2004231253.tif 000006
【図５】
2004231253.tif 000007